【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
紙または板紙を製造するためのプロセスであって、
セルロース系懸濁液を形成させる工程と、
シリカ質物質および有機の水溶性でアニオン性またはカチオン性のウォータ・イン・ウォータまたは分散体マイクロポリマ組成物を含む凝集系を添加することによって前記セルロース系懸濁液を凝集させるが、ここで前記シリカ質物質および前記有機マイクロポリマを同時または順次に添加する工程と、
スクリーン上で前記セルロース系懸濁液を濾水させてシートを形成させる工程と、
前記シートを乾燥させる工程と、
を含むプロセス。
【請求項２】
前記分散体マイクロポリマ組成物が、０．２デシリットル／グラム以上の還元粘度を有し、５〜３０重量パーセントの高分子量マイクロポリマおよび５〜３０重量パーセントの無機凝結性塩を含む、請求項１に記載のプロセス。
【請求項３】
前記分散体マイクロポリマ組成物が、水性塩溶液の中で重合性モノマの重合を開始させて、有機マイクロポリマ分散体を形成させることによって調製され、得られる分散体が０．２デシリットル／グラム以上の還元粘度を有する、請求項１に記載のプロセス。
【請求項４】
前記塩溶液が、無機の多価イオン性塩の水性溶液であり、塩溶液中の前記モノマの混合物が、前記モノマの全重量を基準にして、１〜３０重量パーセントの分散剤ポリマを含み、前記分散剤ポリマが、前記多価イオン性塩の水性溶液中に可溶性である水溶性のアニオン性またはカチオン性ポリマである、請求項２に記載のプロセス。
【請求項５】
前記無機の多価のイオン性塩が、アルミニウム、カリウムまたはナトリウムカチオンと、硫酸塩、硝酸塩、リン酸塩、またはクロリドアニオンとを含む、請求項４に記載のプロセス。
【請求項６】
前記分散体マイクロポリマ組成物が、０．５センチポワズ（ミリパスカル・秒）以上の溶液粘度を示す、請求項２に記載のプロセス。
【請求項７】
前記分散体マイクロポリマ組成物の溶液が、少なくとも５．０％のイオン性を有する、請求項２に記載のプロセス。
【請求項８】
前記ウォータ・イン・ウォータマイクロポリマ組成物が、０．２ｄＬ／ｇ以上の還元粘度を有する高分子量相を含み、４ｄＬ／ｇ未満の還元粘度を有する有機凝結剤の中で合成される、請求項１に記載のプロセス。
【請求項９】
前記ウォータ・イン・ウォータマイクロポリマ組成物が、水性低分子量凝結剤の溶液の中で重合性モノマの水性混合物の重合を開始させて、０．２ｄＬ／ｇ以上の還元粘度を有する有機ウォータ・イン・ウォータマイクロポリマを形成させることにより調製される、請求項８に記載のプロセス。
【請求項１０】
前記ウォータ・イン・ウォータ溶液が凝結剤の水性溶液であり、凝結剤溶液中の前記モノマの混合物が、前記モノマの全重量を基準にして、１〜３０重量パーセントの分散剤ポリマを含み、前記分散剤ポリマが前記凝結剤の水性溶液中に可溶性である水溶性のアニオン性またはカチオン性ポリマである、請求項８に記載のプロセス。
【請求項１１】
前記凝結剤が、エーテル、ヒドロキシル、カルボキシル、スルホン、スルフェートエステル−、アミノ、アミド、イミノ、三級−アミノおよび／または四級アンモニウム基からなる群より選択される少なくとも１種の官能基を有する、請求項１０に記載のプロセス。
【請求項１２】
前記凝結剤が、ポリＤＩＭＡＰＡまたはポリＤＡＤＭＡＣである、請求項１１に記載のプロセス。
【請求項１３】
前記ウォータ・イン・ウォータマイクロポリマ組成物が、０．５センチポワズ以上の溶液粘度を有する、請求項８に記載のプロセス。
【請求項１４】
前記ウォータ・イン・ウォータマイクロポリマ組成物が、少なくとも５．０％のイオン性を有する、請求項８に記載のプロセス。
【請求項１５】
前記モノマが、アクリルアミド、メタクリルアミド、塩化ジアリルジメチルアンモニウム、アクリル酸ジメチルアミノエチル塩化メチル四級塩、メタクリル酸ジメチルアミノエチル塩化メチル四級塩、塩化アクリルアミドプロピルトリメチルアンモニウム、塩化メタクリルアミドプロピルトリメチルアンモニウム、アクリル酸、メタクリル酸、アクリル酸ナトリウム、メタクリル酸ナトリウム、メタクリル酸アンモニウム、または前述のモノマの少なくとも１種を含む組合せ物である、請求項２または８に記載のプロセス。
【請求項１６】
前記モノマが、モノマの全モル数を基準にして、２モルパーセント以上のカチオン性またはアニオン性モノマを含む、請求項１５に記載のプロセス。
【請求項１７】
前記シリカ質物質が、アニオン性のマイクロ微粒子またはナノ微粒子シリカ系物質である、請求項１に記載のプロセス。
【請求項１８】
前記シリカ質物質がベントナイトクレーである、請求項１に記載のプロセス。
【請求項１９】
前記シリカ質物質が、シリカベースの粒子、シリカミクロゲル、コロイダルシリカ、シリカゾル、シリカゲル、ポリシリケート類、アルミノシリケート類、ポリアルミノシリケート類、ボロシリケート類、ポリボロシリケート類、ゼオライト類、膨潤性クレー、およびそれらの組合せを含み、前記シリカ質物質が、ヘクトライト、スメクタイト、モンモリロナイト、ノントロナイト、サポナイト、ソーコナイト、ホルマイト、アタパルジャイト、ラポナイト、セピオライト、または前述の物質の少なくとも１種を含む組合せ物からなるリストから選択される物質である、請求項１に記載のプロセス。
【請求項２０】
前記セルロース系懸濁液の中に、前記有機マイクロポリマおよび無機シリカ質物質を順次または同時に導入する、請求項１に記載のプロセス。
【請求項２１】
前記懸濁液の中に、前記シリカ質物質を有機マイクロポリマよりも前に導入する、請求項１に記載のプロセス。
【請求項２２】
前記懸濁液の中に、前記有機マイクロポリマを前記シリカ質物質よりも前に導入する、請求項１に記載のプロセス。
【請求項２３】
凝集剤を導入することによって前記セルロース系懸濁液を処理した後に、前記シリカ質物質および前記有機マイクロポリマを導入する、請求項１に記載のプロセス。
【請求項２４】
前記凝集剤が、水溶性のカチオン性有機ポリマ、ポリアミン類、ポリ（塩化ジアリルジメチルアンモニウム）、ポリエチレンイミン、硫酸アルミニウム、ポリ塩化アルミニウム、塩化アルミニウム三水化物またはアルミニウム塩酸塩を含む無機物質、およびそれらの組合せからなる群より選択されるカチオン性物質である、請求項２３に記載のプロセス。
【請求項２５】
前記凝集系が、少なくとも１種の凝集剤／凝結剤をさらに含む、請求項２０に記載のプロセス。
【請求項２６】
前記凝集剤／凝結剤が水溶性ポリマである、請求項２１に記載のプロセス。
【請求項２７】
前記水溶性ポリマが、水溶性のエチレン性不飽和モノマ、または少なくとも１種のタイプのアニオン性またはカチオン性モノマを含むエチレン性不飽和モノマの水溶性組合せ物から形成される、請求項２２に記載のプロセス。
【請求項２８】
前記セルロース系懸濁液が、前記凝結物質を導入することによってまず凝集され、次いで場合によっては機械的剪断にかけられ、そして次いで前記シリカ質物質および前記マイクロポリマ組成物を導入することによって再凝集される、請求項１に記載のプロセス。
【請求項２９】
前記セルロース系懸濁液が、前記マイクロポリマ組成物より前に前記シリカ質物質を導入することによって再凝集される、請求項２８に記載のプロセス。
【請求項３０】
前記セルロース系懸濁液が、前記シリカ質物質より前に前記有機マイクロポリマを導入することによって再凝集される、請求項２８に記載のプロセス。
【請求項３１】
前記セルロース系懸濁液が、前記セルロース系懸濁液の全乾燥重量を基準にして、０．０１〜５０重量パーセントの量の填料を含む、請求項１に記載のプロセス。
【請求項３２】
前記填料が、沈降炭酸カルシウム、摩砕炭酸カルシウム、カオリン、チョーク、タルク、ケイ酸アルミニウムナトリウム、硫酸カルシウム、二酸化チタンおよびそれらの組合せからなる群より選択される、請求項３１に記載のプロセス。
【請求項３３】
前記セルロース系懸濁液が、填料を実質的に含まない、請求項１に記載のプロセス。
【請求項３４】
紙または板紙を製造するためのプロセスであって、
セルロース系懸濁液を形成させる工程と、
０．２ｄＬ／ｇ以上の還元粘度を有する水溶性の合成ポリマを添加することによって、前記セルロース系懸濁液を凝集させて、凝集されたセルロース系懸濁液を形成させる工程と、
前記凝集されたセルロース系懸濁液を少なくとも一度機械的剪断にかける工程と、
再凝集系を添加することによって前記機械的に剪断された懸濁液を再凝集させるが、ここで前記再凝集系が、シリカ質物質および水溶性で無溶媒のアニオン性またはカチオン性のウォータ・イン・ウォータまたは分散体マイクロポリマを含む工程と、
スクリーン上で前記セルロース系懸濁液を濾水させてシートを形成させる工程と、
前記シートを乾燥させる工程と、
を含むプロセス。
【請求項３５】
紙または板紙を製造するためのプロセスであって、
セルロース系懸濁液を形成させる工程と、
前記セルロース系懸濁液を１段または複数の剪断段階を通過させる工程と、
スクリーン上で前記セルロース系懸濁液を濾水させてシートを形成させる工程と、
前記シートを乾燥させる工程と、
を含むが、
前記セルロース系懸濁液が、濾水より前に、０．０１重量パーセント以上の、無機塩溶液もしくは有機凝結剤溶液中の有機マイクロポリマおよび無機シリカ質物質を含む凝集系を添加することによって、凝集され、
前記有機マイクロポリマおよび無機シリカ質物質が、前記剪断段階の一つの後に添加され、
前記有機マイクロポリマおよび無機シリカ質物質が、同時または順次に添加され、
前記凝集系が、５００，０００原子質量単位以上の分子量を有する、実質的に直鎖状の合成カチオン性、ノニオン性、またはアニオン性ポリマを含む有機水溶性凝集剤物質をさらに含むが、前記ポリマは、前記剪断段階より前に前記セルロース系懸濁液に対して、フロックが形成されるような量で添加され、
前記フロックが剪断によって破壊されて、剪断によるさらなる分解には抵抗性を有するマイクロフロックを形成し、かつ前記マイクロフロックが、シリカ質物質および有機マイクロポリマと相互作用するに充分なアニオン性またはカチオン性電荷を担持しているために、前記セルロース系懸濁液に対して前記凝集剤物質を最初に添加せずに高剪断の最後のポイントよりも後に前記凝集系を添加した場合の歩留りよりも、良好な歩留りを与え、
ここで重量パーセントは、乾燥セルロース系懸濁液の全重量を基準にしたものである、
プロセス。
【請求項３６】
前記１段または複数の剪断段階が、クリーニング、ミキシング、ポンピング、または前述の剪断段階の少なくとも一つを含む組合せである、請求項３５に記載のプロセス。
【請求項３７】
前記１段または複数の剪断段階が、セントリスクリーンを含み、前記凝結物質が前記セルロース系懸濁液にセントリスクリーンよりも前に添加され、前記シリカ質物質および有機マイクロポリマが前記セントリスクリーンよりも後に添加される、請求項３５に記載のプロセス。
【請求項３８】
前記１段または複数の剪断段階が、前記マイクロポリマの凝集系および前記シリカ質物質を適用する途中に存在させることが可能な、セントリスクリーンを含み、
前記シリカ質物質が、１段または複数の剪断段階の前に適用され、前記有機マイクロポリマが最後の剪断ポイントより後に適用され、
カチオン性、アニオン性、またはノニオン性のいずれかの前記実質的に直鎖状の合成ポリマの適用が、最後の剪断ポイントの後で、前記有機マイクロポリマより前か、または前記直鎖状合成ポリマと前記有機マイクロポリマとが同じような電荷を有しているならば前記有機マイクロポリマと同時か、のいずれかで適用される、
請求項３５に記載のプロセス。
【請求項３９】
前記１段または複数の剪断段階が、前記マイクロポリマの凝集系および前記シリカ質物質を適用する途中に存在させることが可能な、セントリスクリーンを含み、
前記有機マイクロポリマが、１段または複数の剪断段階の前に適用され、前記シリカ質物質が最後の剪断ポイントより後に適用され、
カチオン性、アニオン性またはノニオン性のいずれかの電荷を有する実質的に直鎖状の合成ポリマの適用が、シリカ質物質よりも前、または同様の電荷であるならば前記有機マイクロポリマと同時に適用される、
請求項３５に記載のプロセス。
【請求項４０】
前記実質的に直鎖状の合成ポリマの適用が、一つまたは複数の剪断ポイントの前に適用される、請求項３９に記載のプロセス。